(57)【特許請求の範囲】
【請求項１】
１以上のＳＩＰ電話端末と前記１以上のＳＩＰ電話端末を管理するＳＩＰ管理端末とから構成されるＳＩＰ電話システムであって、
前記ＳＩＰ管理端末は、
自ＳＩＰ管理端末へのＩＮＶＩＴＥを受信すると受信したＩＮＶＩＴＥから発信元のＩＤ情報を抽出するＩＤ抽出手段と、
抽出した前記ＩＤ情報を自ＳＩＰ管理端末が管理するＳＩＰ電話端末へ通知するＩＤ情報通知手段と、を有し、
前記ＳＩＰ電話端末は、
前記ＳＩＰ管理端末から前記ＩＤ情報を受信すると自ＳＩＰ電話端末を鳴動する鳴動手段と、
自ＳＩＰ電話端末が鳴動した後にユーザの応答操作を検出すると前記ＩＤ情報から発信元のアドレスを特定し当該発信元のアドレスへ自ＳＩＰ電話端末が通話する旨のＩＮＶＩＴＥ  Ｒｅｐｌａｃｅを送信することにより代理接続を要求する代理接続要求手段と、を有することを特徴とするグループ着信機能を有するＳＩＰ電話システム。
【請求項２】
請求項１に記載のＳＩＰ電話システムであって、
前記ＳＩＰ管理端末は、
前記ＳＩＰ電話端末から自ＳＩＰ管理端末へのＲＥＧＩＳＴＥＲを受信すると、前記ＲＥＧＩＳＴＥＲを送信したＳＩＰ電話端末を前記ＩＤ情報通知手段の通知先として記憶する通知先記憶手段と、をさらに有し、
前記ＳＩＰ電話端末は、
電源が投入されると前記ＳＩＰ管理端末へＲＥＧＩＳＴＥＲを送信することにより自ＳＩＰ電話端末の登録を要求する登録要求手段と、をさらに有することを特徴とするグループ着信機能を有するＳＩＰ電話システム。
【請求項３】
請求項１または２に記載のＳＩＰ管理端末。
【発明の詳細な説明】
【技術分野】
【０００１】
本発明はＳＩＰ電話システムの呼制御技術に関するものであり、特にＳＩＰ電話の内線制御に関する。
【背景技術】
【０００２】
内線グループ着信を行うための手法として従来のＳＩＰ内線制御では、Ｐｒｏｘｙサーバが内線グループの各端末に対してＩＮＶＩＴＥをフォーク（以下、分岐と呼称）して実現している。
【０００３】
図８を用いて従来のＳＩＰ内線制御を説明する。図８は、従来のＳＩＰ内線制御において、発信元の内線ＳＩＰ電話端末４から内線グループ着信を受付けた場合のシーケンス図である。
【０００４】
相手ＳＩＰ電話端末４からＳＩＰ  Ｐｒｏｘｙサーバ１に対してＩＮＶＩＴＥを送信する（Ｓ３０１）とＳＩＰ  Ｐｒｏｘｙサーバ１は  ＳＩＰ  Ｐｒｏｘｙサーバ１配下の内線ＳＩＰ電話端末３−１，３−２に対してＩＮＶＩＴＥを分岐して送信する（Ｓ３０２）。
【０００５】
ＩＮＶＩＴＥ（ＦＯＲＫ）を受信した内線ＳＩＰ電話端末３−１，３−２は、着信鳴動し（Ｓ３０３）、この時、着信側の内線ＳＩＰ電話端末３−１がＰＲＡＣＫを要求する１８０Ｒｉｎｇｉｎｇ（１００ｒｅｌ）を相手ＳＩＰ電話端末４が受信すると、相手ＳＩＰ電話端末４は内線呼情報の管理を開始し、ＰＲＡＣＫを送信する（Ｓ３０４、Ｓ３０５、Ｓ３０６）。
【０００６】
内線呼情報の管理は、ＰＲＡＣＫを要求する１８０Ｒｉｎｇｉｎｇ（１００ｒｅｌ）を送信する内線ＳＩＰ電話端末台数分行われる（Ｓ３０７、Ｓ３０８、Ｓ３０９）。
【０００７】
ここで例えば内線ＳＩＰ電話端末３−１で応答操作がなされたとすると（Ｓ３１０、Ｓ３１１）、相手ＳＩＰ電話端末４との通話となり（Ｓ３１２）、ＳＩＰ  Ｐｒｏｘｙサーバ１は、内線ＳＩＰ電話端末３−２に対してＣＡＮＣＥＬを送信する（Ｓ３１３、Ｓ３１４）。
【０００８】
発信元の内線相手ＳＩＰ電話端末４は、ここで、内線ＳＩＰ電話端末３−２の内線呼情報の管理を終了する（Ｓ３１５）。
【０００９】
このようにしてＩＮＶＩＴＥ（ＦＯＲＫ）を利用して複数のＳＩＰ電話端末を呼出す場合、発信元の相手ＳＩＰ電話端末４は、呼出し先のＳＩＰ電話端末全ての呼情報を管理しなければならず、処理負荷が大きいという問題がある。
【００１０】
上記の問題を解決する方法として特許文献１がある。
【００１１】
特許文献１の技術は、相手ＳＩＰ電話端末４からの着信があると内線ＳＩＰ電話端末３−１，３−２に対してグループ着信を行うグループ呼び装置という専用装置を設置し呼情報を管理をおこない、このグループ呼び装置でＩＮＶＩＴＥを終端することで、発信元の相手ＳＩＰ電話端末４が管理する呼情報は１つで済む。
【先行技術文献】
【特許文献】
【００１２】
【特許文献１】特開２００６−３５２５４３号公報
【発明の概要】
【発明が解決しようとする課題】
【００１３】
しかしながら、特許文献１の技術は、発信元の相手ＳＩＰ電話端末４が管理していた内線呼情報をグループ呼び装置が行っただけであり、管理負荷を処理するためある程度の処理能力を持った専用装置設置しなければならない。
【００１４】
本発明は上記事情に鑑みて為されたものであり、本発明の目的は、内線グループ発信時のシーケンス処理を見直し、内線グループ発信時に発生する所定端末にかかる呼情報の管理負荷を軽減することにある。
【課題を解決するための手段】
【００１５】
上記課題を解決するために本発明では、１以上のＳＩＰ電話端末と前記１以上のＳＩＰ電話端末を管理するＳＩＰ管理端末とから構成されるＳＩＰ電話システムであって、前記ＳＩＰ管理端末は、自ＳＩＰ管理端末へのＩＮＶＩＴＥを受信すると受信したＩＮＶＩＴＥから発信元のＩＤ情報を抽出するＩＤ抽出手段と、抽出した前記ＩＤ情報を自ＳＩＰ管理端末が管理するＳＩＰ電話端末へ通知するＩＤ情報通知手段と、を有し、前記ＳＩＰ電話端末は、前記ＳＩＰ管理端末から前記ＩＤ情報を受信すると自ＳＩＰ電話端末を鳴動する鳴動手段と、自ＳＩＰ電話端末が鳴動した後にユーザの応答操作を検出すると前記ＩＤ情報から発信元のアドレスを特定し当該発信元のアドレスへ自ＳＩＰ電話端末が通話する旨のＩＮＶＩＴＥ  Ｒｅｐｌａｃｅを送信することにより代理接続を要求する代理接続要求手段と、を有することを特徴とする。
【発明の効果】
【００１６】
本発明によれば、内線ＳＩＰ管理端末を設置し、内線グループへのＩＮＶＩＴＥを受信しても新たなＩＮＶＩＴＥを生成せずに各内線端末に内線グループ着信を通知し、当該通知を受信した内線端末は直接発信元に対して接続要求を送信することによって、内線ＳＩＰ管理端末の呼の管理を単純化することができる。
【図面の簡単な説明】
【００１７】
【図１】本発明の一実施の形態にかかるＳＩＰ電話システムの概略図である。
【図２】本実施の形態に係るＳＩＰ電話システムにおいて、相手ＳＩＰ電話端末４から内線グループに発信した場合の動作例を説明するためのシーケンス図である。
【図３】内線ＳＩＰ管理端末の概略機能ブロック図である。
【図４】内線グループ端末記憶部の、登録内容例を模式的に表した図である。
【図５】内線ＳＩＰ電話端末の概略機能ブロック図である。
【図６】内線ＳＩＰ管理端末の動作を説明するためフロー図である。
【図７】内線ＳＩＰ電話端末の内線グループ着信を受ける動作を説明するためのフロー図である。
【図８】従来の内線ＳＩＰ制御例を説明するためのシーケンス図である。
【発明を実施するための形態】
【００１８】
以下に本発明の実施の形態について説明する。図１は、本発明の一実施の形態にかかるＳＩＰ電話システムの概略図である。
【００１９】
図示するように、本実施の形態のＳＩＰ電話システム７は、内線ＳＩＰ管理端末２と、複数の内線ＳＩＰ電話端末３−１〜３−２（以下、単に内線ＳＩＰ電話端末３とも呼ぶ）とが、ＬＡＮ５を介してＳＩＰ  Ｐｒｏｘｙサーバ１に接続され、相手ＳＩＰ電話端末４はＷＡＮ６を介してＳＩＰ  Ｐｒｏｘｙサーバ１と接続されて構成されている。
【００２０】
本実施例では、相手ＳＩＰ電話端末４からＳＩＰ電話システムに対して内線グループ発信を行った場合について説明する。
【００２１】
図２は、本実施の形態に係るＳＩＰ電話システムにおいて、相手ＳＩＰ電話端末４から内線グループに発信した場合の動作例を説明するためのシーケンス図である。
【００２２】
内線ＳＩＰ管理端末２は内線グループ番号をＵＳＥＲ名としてＲＥＧＩＳＴＥＲ  （登録要求）を送信し、ＳＩＰ  Ｐｒｏｘｙサーバ１に登録する（Ｓ１０１，Ｓ１０２）。
【００２３】
内線ＳＩＰ電話端末３は自身の内線番号をＵＳＥＲ名としてＲＥＧＩＳＴＥＲ  （登録要求）を送信し、ＳＩＰ  Ｐｒｏｘｙサーバ１に登録し（Ｓ１０３，Ｓ１０４，Ｓ１０７，Ｓ１０８）、さらに、自身が着信を受けることが可能な内線グループ番号を付与した、ＳＵＢＳＣＲＩＢＥ  （内線グループ着信通知要求）を送信し、内線ＳＩＰ管理端末２に登録する（Ｓ１０５，Ｓ１０６，Ｓ１０９，Ｓ１１０）。
【００２４】
内線ＳＩＰ電話端末３−１と３−２は同一内線グループ着信通知要求を送信したとする。
【００２５】
内線ＳＩＰ管理端末２は内線グループ着信通知要求を受信することにより、内線グループ番号ごとに、内線グループ着信通知を送信する内線ＳＩＰ電話端末３を把握している。
【００２６】
ここで、相手ＳＩＰ電話端末４が内線ＳＩＰ電話端末３−１と３−２が要求した内線グループ着信通知に対応した内線グループ番号に対してＩＮＶＩＴＥ  （接続要求）を送信したとする。ＳＩＰ  Ｐｒｏｘｙサーバ１は、この内線グループ番号で登録されている内線ＳＩＰ管理端末２に対して接続要求（ＩＮＶＩＴＥ）を中継し、内線ＳＩＰ管理端末２は、暫定応答（１８０Ｒｉｎｇｉｎｇ）を返信する（Ｓ１１１，Ｓ１１２）。  
内線ＳＩＰ管理端末２は、ＩＮＶＩＴＥ  （接続要求）を受信したときに、内線ＳＩＰ電話端末３−１と３−２に対してＮＯＴＩＦＹ  （内線グループ着信通知）を送信する（Ｓ１１３）  。内線グループ着信通知（ＮＯＴＩＦＹ）を受信した内線ＳＩＰ電話端末３−１と３−２は着信鳴動する  （Ｓ１１４，Ｓ１１５）。
【００２７】
ここで内線ＳＩＰ電話端末３−２にて応答操作したとする（Ｓ１１６）。応答時に内線グループ着信通知（ＮＯＴＩＦＹ）から発信元を特定し、発信元である相手ＳＩＰ電話端末４に対してＩＮＶＩＴＥ  Ｒｅｐｌａｃｅ  （代理接続要求）を送信し（Ｓ１１７）、２００  ＯＫ（代理接続成立）を受信すると（Ｓ１１８）、通話となる（Ｓ１１９）。
【００２８】
相手ＳＩＰ電話端末４は、ＩＮＶＩＴＥ  Ｒｅｐｌａｃｅ  （代理接続要求）を受信すると、内線ＳＩＰ管理端末２に対してステップ１１１で送信したＩＮＶＩＴＥ（接続要求）を解除するためにＣＡＮＣＥＬ（接続要求解除）  を送信する（Ｓ１２０）。
【００２９】
内線ＳＩＰ管理端末２は、相手ＳＩＰ電話端末４が送信するＣＡＮＣＥＬ（接続要求解除）を受信すると２００  ＯＫ（接続要求解除完了）を相手ＳＩＰ電話端末４に送信すると共に（Ｓ１２１）、ＮＯＴＩＦＹ  （内線グループ着信解除通知）を送信する（Ｓ１２２）。ＮＯＴＩＦＹ  （内線グループ着信解除通知）を受信した内線ＳＩＰ電話端末３−１は鳴動中の着信音を停止し（Ｓ１２３）、となり、内線ＳＩＰ電話端末３−２はすでに通話中であるため、内線グループ着信終了通知を無視する。
【００３０】
図３は、内線ＳＩＰ管理端末２の概略機能ブロック図である。
【００３１】
内線ＳＩＰ管理端末２は、ＬＡＮインターフェイス部２０１と、通信制御部２０２と、内線グループ着信通知要求受信部２０３と、内線グループ端末記憶部２０４と、内線グループ端末登録完了通知部２０５と、接続要求受信部２０６と、応答部２０７と、発信元情報抽出部２０８と、通知メッセージ生成部２０９と、通知メッセージ送信部２１０と、接続要求解除受信部２１１と、ＳＩＰ  Ｐｒｏｘｙサーバ登録処理部２１２とから構成される。
【００３２】
ＬＡＮインターフェイス部２０１は、ＬＡＮ４に接続するためのインターフェイスである。
【００３３】
通信制御部２０２は、ＬＡＮインターフェイス部２０１を介して、ＬＡＮ５に接続された機器（ＳＩＰ  Ｐｒｏｘｙサーバ１、内線ＳＩＰ電話端末３等）との通信を制御する。
【００３４】
内線グループ着信通知要求受信部２０３は、ＬＡＮインターフェイス部２０１および通信制御部２０２を介して、内線ＳＩＰ電話端末３が送信する、内線グループ着信通知要求を受信する。受信後、内線グループ端末記憶部２０４に内線グループ着信通知要求を送信した内線ＳＩＰ電話端末３の内線番号を記憶する。内線番号の記憶を完了すると、内線グループ端末登録完了通知部２０５に対して内線グループ端末登録完了通知を通信制御部２０２及びＬＡＮインターフェイス部２０１を介して内線グループ着信通知要求を送信した内線ＳＩＰ電話端末３に送信するように指示を出す。
【００３５】
内線グループ端末記憶部２０４は、内線グループ着信通知要求を受信した場合に、内線グループ着信通知要求受信部２０３の指示により、内線グループ着信通知要求を送信した内線ＳＩＰ電話端末３の内線番号が記憶される。
【００３６】
図４は、内線グループ端末記憶部２０４の登録内容例を模式的に表した図である。内線グループ端末記憶部２０４には、ＳＩＰ  Ｐｒｏｘｙサーバ１に登録したときの内線グループ番号を記憶するためのフィールド２０４１と、内線グループ着信通知要求を送信した内線ＳＩＰ電話端末３の内線番号を登録するフィールド２０４２と、を有するレコード２０４０が登録される。ここで、フィールド２０４１に登録されている内線ＳＩＰ電話端末３が存在しなければフィールド２０４１はヌル（空欄）となる。
【００３７】
図３に戻って説明を続ける。
【００３８】
内線グループ端末登録完了通知部２０５は、内線グループ端末記憶部２０４に内線グループ着信通知要求を送信した内線ＳＩＰ電話端末３の内線番号が記憶されると、記憶した内線番号を持つ内線ＳＩＰ電話端末３に対して、内線グループ端末登録完了を通信制御部２０２及びＬＡＮインターフェイス部２０１を介して通知する。
【００３９】
接続要求受信部２０６は、ＬＡＮインターフェイス部２０１および通信制御部２０２を介して、ＳＩＰ  Ｐｒｏｘｙサーバ１に登録したときの内線グループ番号で接続要求を受信する。受信後、内線グループ端末記憶部２０４を参照し、レコード２０４０のフィールド２０４１に内線ＳＩＰ電話端末３の内線番号が記憶されているかを判断する。レコード２０４０のフィールド２０４１に内線ＳＩＰ電話番号３の内線番号が登録されていれば、応答部２０７に対して暫定応答の送信を指示し、レコード２０４０のフィールド２０４１がヌル（空欄）であれば、応答部２０７に対してエラーの送信を指示する。
【００４０】
接続要求受信部２０６は、レコード２０４０のフィールド２０４１に内線ＳＩＰ電話番号３の内線番号が登録されている場合にさらに、受信した接続要求を送信元情報抽出部２０８に渡す。
【００４１】
応答部２０７は、接続要求受信部の指示により暫定応答またはエラーを通信制御部２０２及びＬＡＮインターフィス部２０１を介してＬＡＮ５上に送出し、接続要求解除受信部の指示により、接続要求解除完了を、通信制御部２０２及びＬＡＮインターフィス部２０１を介してＬＡＮ５上に送出する。
【００４２】
発信元情報抽出部２０８は、接続要求受信部２０６にて受信した内線グループ番号での接続要求の中から、発信元の情報を抽出する。ここで抽出する発信元の情報とは、例えば、接続要求を送信した相手ＳＩＰ電話端末４のＵＳＥＲ名やＣａｌｌ−ＩＤである。抽出後、抽出した情報を通知メッセージ生成部２０９に渡す。
【００４３】
通知メッセージ生成部２０９は、レコード２０４０のフィールド２０４２に記憶されている内線番号を取り出して、送信先とし、受け取った発信元の情報を含めた内線グループ着信通知を生成する。生成後、生成した内線グループ着信通知を通知メッセージ送信部２１０に渡す。また、通知メッセージ生成部２０９は接続要求解除受信部２１１の指示により、レコード２０４０のフィールド２０４２に記憶されている内線番号を取り出して、内線グループ着信解除通知を生成する。生成後、生成した内線グループ着信解除通知を通知メッセージ送信部２１０に渡す。  
通知メッセージ送信部２１０は、通知メッセージ生成部２０９で生成し渡された通知メッセージを通信制御部２０２及びＬＡＮインターフェイス２０１を介してＬＡＮ４上に送出する。
【００４４】
接続要求解除受信部２１１は、ＬＡＮインターフェイス部２０１および通信制御部２０２を介して、接続要求解除を受信する。受信後、応答部２０７に対して接続要求解除完了を送信するように指示を出す。また、接続要求解除受信２１１は通知メッセージ生成部２０９に対して内線グループ着信解除通知を生成するように指示を出す。
【００４５】
ＳＩＰ  Ｐｒｏｘｙサーバ登録処理部２１２は、予めＳＩＰ  Ｐｒｏｘｙサーバのアドレスと、内線グループ番号が登録されており、ＳＩＰ  Ｐｒｏｘｙサーバ１に登録要求を送信し、ＳＩＰ  Ｐｒｏｘｙサーバ１に内線グループ番号をＵＳＥＲ名として登録する。
【００４６】
図５は、内線ＳＩＰ電話端末３の概略機能ブロック図である。
【００４７】
図示するように内線ＳＩＰ電話端末３は、ＬＡＮインターフェイス部３０１と、通信制御部３０２と、ＳＩＰ  Ｐｒｏｘｙサーバ登録処理部３０３と、内線グループ着信通知要求処理部３０４と、内線グループ着信通知受信部３０５と、発信元情報抽出部３０６と、音声入力部３０７と、応答部３０８と、代理接続要求生成部３０９と、代理接続要求送信部３１０と、代理接続成立受信部３１１と、内線グループ着信解除通知受信部３１２とから構成される。
【００４８】
ＬＡＮインターフェイス部２０１は、ＬＡＮ５に接続するためのインターフェイスである。
【００４９】
通信制御部２０２は、ＬＡＮインターフェイス部２０１を介して、ＬＡＮ５に接続された機器（ＳＩＰ  Ｐｒｏｘｙサーバ１、内線ＳＩＰ管理端末２等）との通信を制御する。
【００５０】
ＳＩＰ  Ｐｒｏｘｙサーバ登録処理部３０３は、予めＳＩＰ  Ｐｒｏｘｙサーバのアドレスと、自端末の内線番号が登録されており、ＳＩＰ  Ｐｒｏｘｙサーバ１に登録要求を通信制御部３０２及びＬＡＮインターフェイス部３０１を介して送信しＳＩＰ  Ｐｒｏｘｙサーバ１に内線番号をＵＳＥＲ名として登録する。登録完了後、内線グループ着信通知要求処理部３０４に対して内線グループ着信通知要求を行うように指示を出す。
【００５１】
内線グループ着信通知要求処理部３０４は、予め、内線ＳＩＰ管理端末２のアドレスが登録されており、ＳＩＰ  Ｐｒｏｘｙサーバ登録処理部３０３から内線グループ着信通知要求を行うように指示を受けると、内線グループ着信通知要求を通信制御部３０２及びＬＡＮインターフェイス部３０１を介して内線ＳＩＰ管理端末２に送信し、ＬＡＮインターフェイス部３０１及び通信制御部３０２を介して、内線グループ端末登録完了通知を受信する。受信後、内線グループ着信通知を受信するのを待つ。
【００５２】
内線グループ着信通知受信部３０５は、ＬＡＮインターフィエス部３０１及び通信制御部３０２を介して内線グループ着信通知を受信する。受信後、音声入出力部３０７を介して着信鳴動を行う。
【００５３】
内線グループ着信通知受信部３０５はまた、受信した内線グループ着信通知を発信元情報抽出部３０６に渡す。
【００５４】
発信元情報抽出部３０６は、内線グループ着信通知の中から、接続要求を送信した相手ＳＩＰ電話端末４のＵＳＥＲ名やＣａｌｌ−ＩＤを抽出する。抽出後、代理接続要求生成部３０９に渡す。
【００５５】
音声入出力部３０７は、着信音の出力や通話者の音声の入出力を行う。
【００５６】
応答部３０８は、ユーザによって応答操作が行われたことを検出する。検出後、代理接続要求生成部３０９に対して、代理接続要求を生成するように指示する。
【００５７】
代理接続要求生成部３０９は、代理接続要求の生成指示を受けると、発信元情報抽出部３０６から受け取ったＵＳＥＲ名を送信先とし、Ｃａｌｌ−ＩＤを識別子とした、代理接続要求を生成する。生成後、生成した代理接続要求を代理接続要求送信部３１０に渡す。
【００５８】
代理接続要求送信部３１０は代理接続要求を受け取ると、代理接続要求を通信制御部３０２を及びＬＡＮインターフェイス部３０１を介して、相手ＳＩＰ電話端末４に送信する。
【００５９】
代理接続成立受信部３１１は、ＬＡＮインターフィエス部３０１及び通信制御部３０２を介して代理接続成立を受信する。
【００６０】
代理接続成立を受信したところから相手ＳＩＰ電話端末４との通話が可能となり、以後、ＬＡＮインターフェイス部３０１及び通信制御部３０２、音声入出力部３０７にて音声パケットの送受信を行う。
【００６１】
内線グループ着信解除通知受信部３１２は、着信鳴動中に他の内線ＳＩＰ電話端末３が代理接続成立させた時に、ＬＡＮインターフェイス部３０１及び通信制御部３０２を介して内線グループ着信解除通知を受信する。受信後は音声入出力部３０７から出力中の着信音を停止させる。
【００６２】
次に、図６を用いて内線ＳＩＰ管理端末２の動作について説明する。
【００６３】
図６は、内線ＳＩＰ管理端末２の動作を説明するためフロー図である。尚、本フローは内線ＳＩＰ管理端末２が電源投入されてから開始する。
【００６４】
まず、電源投入後が投入されると、ＳＩＰ  Ｐｒｏｘｙサーバ登録処理部２１２はＳＩＰ  Ｐｒｏｘｙサーバ１に登録要求を送信し、内線グループ番号をＳＩＰ  Ｐｒｏｘｙサーバ１に登録する（Ｓ１０１）。
【００６５】
登録後、通信制御部２０２は、受信したパケットの種別を識別する（Ｓ１０２）。内線グループ着信通知要求を受信したならば（Ｓ１０２で内線グループ着信通知要求）、Ｓ１０３に進み、内線グループ着信を受信したならば（Ｓ１０２で接続要求）、Ｓ１０４に進む。
【００６６】
Ｓ１０３において、内線グループ着信通知要求受信部２０３は、受信した内線グループ着信通知要求を解析し、送信元の内線ＳＩＰ電話端末３の内線番号を内線グループ着信通知先として、内線グループ端末記憶部２０４のレコード２０４０のフィールド２０４２に記憶する。また、接続要求受信部２０６は、内線グループ端末記憶部２０４のレコード２０４０のフィールド２０４２に内線番号が記憶されているか否かを判定する。
【００６７】
判定後、内線番号が記憶されているならば（Ｓ１０４でＹＥＳ）、送信元情報抽出部２０８は、接続要求の中から接続要求を送信した相手ＳＩＰ電話端末４のＵＳＥＲ名やＣａｌｌ−ＩＤを抽出する（Ｓ１０５）。
【００６８】
抽出後、通知メッセージ生成部２０９は、抽出した相手ＳＩＰ電話端末４のＵＳＥＲ名やＣａｌｌ−ＩＤを含む、内線グループ着信通知を生成し（Ｓ１０６）、通知メッセージ送信部２１０に渡す。通知メッセージ送信部２１０は渡された内線グループ着信通知をレコード２０４０のフィールド２０４２に記憶している内線番号に対して送信する（Ｓ１０７）。
【００６９】
このとき、応答部２０７は、接続要求を送信した相手ＳＩＰ電話端末４に対して、暫定応答を送信する（Ｓ１０８）。暫定応答を送信後、接続要求解除受信部２１１は、接続要求を送信した相手ＳＩＰ電話端末４接続要求解除を受信するのを待つ（Ｓ１０９でＮＯ）。
【００７０】
接続要求解除を受信すると（Ｓ１０９でＹＥＳ）、接続要求解除受信部２１１は、通知メッセージ生成部２０９に内線グループ着信終了通知生成するよう指示する。指示を受けた通知メッセージ生成部２０９は内線グループ着信終了通知生成し、通知メッセージ送信部２１０に渡す。通知メッセージ送信部２１０は内線ＳＩＰ電話端末３に対して、内線グループ着信終了通知を送信する（Ｓ１１０）。
【００７１】
一方で接続要求受信部２０６は、内線グループ端末記憶部２０４のレコード２０４０のフィールド２０４２に内線番号が記憶されていない（ヌル（空欄））と判断したならば  （Ｓ１０３でＮＯ）、接続要求を送信した相手ＳＩＰ電話端末４に対してエラーを送信する（Ｓ１１０）。
【００７２】
送信後、再びステップ１０２へ戻る。
【００７３】
次に図７を用いて内線ＳＩＰ電話端末３の動作について説明する。
【００７４】
図７は、内線ＳＩＰ電話端末３の、内線グループ着信を受ける動作を説明するためのフロー図である。尚、本フローは内線ＳＩＰ電話端末３が電源投入されてから開始する。
【００７５】
まず、電源投入後、ＳＩＰ  Ｐｒｏｘｙサーバ登録処理部３０３は、自内線番号でＳＩＰ  Ｐｒｏｘｙサーバ１に登録の処理を行う  （Ｓ２０１）。
【００７６】
登録後内線グループ着信通知要求処理部３０４は、内線ＳＩＰ管理端末２に対して内線グループ着信通知要求を送信し（Ｓ２０２）、内線ＳＩＰ管理端末２から内線グループ端末登録完了通知を受信するのを待つ（Ｓ２０３でＮＯ）。
【００７７】
登録後内線グループ着信通知要求処理部３０４にて内線ＳＩＰ管理端末２から内線グループ端末登録完了通知を受信後（Ｓ２０３でＹＥＳ）、内線グループ着信通知受信部３０５は、内線グループ着信通知を受信するのを待つ（Ｓ２０４でＮＯ）。
【００７８】
内線グループ着信通知受信部３０５は、内線グループ着信通知を受信すると（Ｓ２０４でＹＥＳ）、音声出力部３０７にて着信鳴動を行う（Ｓ２０５）。
【００７９】
そして操作受付部３０８は、オフフックの応答操作が行われたか否かを判定する（Ｓ２０６）。
【００８０】
着信鳴動に対して操作受付部３０８がオフフック等の応答操作を検出した場合（Ｓ２０６でＹＥＳ）、操作受付３０８は代理接続要求生成部３０９に応答操作がなされたことを通知する。通知を受けた代理接続要求生成部３０９は内線グループ着信通知の中から接続要求を送信した相手ＳＩＰ電話端末４のＵＳＥＲ名やＣａｌｌ−ＩＤを抽出し、ＵＳＥＲ名を送信先とし、Ｃａｌｌ−ＩＤを識別子とする代理接続要求を生成する（Ｓ２０５）。
【００８１】
代理接続要求生成部３０９は代理接続要求を生成した後、代理接続要求送信部２１０に生成した代理接続要求渡し、代理接続要求送信部２１０は、接続要求を送信した相手ＳＩＰ電話端末４に送信する（Ｓ２０８）。
【００８２】
ステップ２０８で代理接続要求を送信した後、接続要求を送信した相手ＳＩＰ電話端末４から代理接続成立（２００  ＯＫ）を受信するのを待つ（Ｓ２１１でＮＯ）。
【００８３】
代理接続成立を受信すると（Ｓ２１１でＹＥＳ）、通話となる（Ｓ２１２）。
【００８４】
そして操作受付部３０８にてオンフック等の終話操作を検出する、または相手ＳＩＰ電話端末４から終了メッセージ（ＢＹＥ）を受信すると（Ｓ２１３でＹＥＳ）、通話終了し  （Ｓ２１４）、ステップ２０４の処理に戻る。
【００８５】
一方で、ステップ２０６で操作受付部３０８にてオフフック等の応答操作が検出されずに（Ｓ２０６でＮＯ）、内線グループ着信解除通知を受信すると（Ｓ２０９でＹＥＳ）、  音声出力部３０７にて着信鳴動中の着信音を停止し（Ｓ２１０）、再びステップ２０４の処理に戻る。
【００８６】
以上、本発明の一実施の形態について説明した。
【００８７】
本実施の形態において、内線ＳＩＰ管理端末を設置し、内線グループへのＩＮＶＩＴＥを受信しても新たなＩＮＶＩＴＥを生成せずに各内線端末に内線グループ着信を通知し、当該通知を受信した内線端末は直接発信元に対して接続要求を送信することによって、ＳＩＰ内線管理端末の呼の管理を単純化することができる。
【符号の説明】
【００８８】
１：ＳＩＰ  Ｐｒｏｘｙサーバ、２：内線ＳＩＰ管理端末、３−１〜３−３：内線ＳＩＰ電話端末、４：相手ＳＩＰ電話端末、５：ＬＡＮ、６：ＷＡＮ：、７：ＳＩＰ電話システム、２０１：ＬＡＮインターフェイス部、２０２：通信制御部、２０３：内線グループ着信通知要求受信部、２０４：内線グループ端末記憶部、２０５：内線グループ端末登録完了通知部、２０６：接続要求受信部、２０７：応答部、２０８：送信元情報抽出部、２０９：通知メッセージ生成部、２１０：通知メッセージ送信部、２１１：接続要求解除受信部、２１２：ＳＩＰ  Ｐｒｏｘｙサーバ登録処理部、３０１：ＬＡＮインターフェイス部、３０２：通信制御部、３０３：ＳＩＰ  Ｐｒｏｘｙサーバ登録処理部、３０４：内線グループ着信通知要求処理部、３０５：内線グループ着信通知受信部、３０６：発信元情報抽出部、３０７：音声出力部、３０８：操作受付部、３０９：代理接続要求生成部、３１０：代理接続要求送信部、３１１：代理接続成立受信部、３１２：内線グループ着信解除通知受信部
【図１】
0005516273.tif 000002
【図２】
0005516273.tif 000003
【図３】
0005516273.tif 000004
【図４】
0005516273.tif 000005
【図５】
0005516273.tif 000006
【図６】
0005516273.tif 000007
【図７】
0005516273.tif 000008
【図８】
0005516273.tif 000009